(57)【要約】【課題】従来の基礎柱の鉛直度調製は、ワイヤーを用いた方法等が用いられてきたが、いずれも安全性が低く高所作業が必要であり、又別途の金具が必要で、その取付、取外し作業が発生していた。そのため、鉛直度調整に手間や、時間が掛かり、効率的な鉛直度調製冶具や、調製方法が望まれていた。【解決手段】  基礎柱ａと鉛直度調整治具１の配置は、基礎柱ａの東西方向、南北方向共に、ベースプレートｂの低くなっている側に鉛直度調整治具１を配置し、  前記鉛直度調整治具１の支持爪３は、ベースプレートｂの下方に配置されており、  又、小型ジャッキ７は、隙間Ｗの空間内に、回転把持部７ａを配置することが可能であり、その回転把持部７ａをスパナやラチエットレンチ等の工具ｕにより、支持爪３を上方に移動させることにより基礎柱ａの鉛直度調整が可能となることを特徴とする鉛直度調整装置及び調整方法を提供する。【選択図】図１
2018162650.tif 000002
【特許請求の範囲】
【請求項１】
基礎柱ａと鉛直度調整治具１の配置は、基礎柱ａの東西方向、南北方向共に、ベースプレートｂの低くなっている側の下方に、鉛直度調整治具１の支持爪３を配置し、
ベースプレートｂと基礎ピットｈとの間の隙間Ｗの空間内に、小型ジャッキ７の回転把持部７ａが配置可能であり、
該小型ジャッキ７の回転把持部７ａをスパナやラチエットレンチ等の工具Ｕにより回転することによって、前記支持爪３を上下動し、ベースプレートｂを介して基礎柱ａの鉛直度調整を行うことを特徴とする鉛直度調整装置及び鉛直度調整方法。
【請求項２】
請求項１記載の鉛直度調整装置の鉛直度調整治具１の構成は、支持枠体２と、前記支持枠体２の中心部には、調整ボルト４が設けられ、
前記支持爪３が調整ボルト４の下部螺子部４ａを介して上下動可能に設けられ、
調整ボルト４の上方には、ジャッキ受板６が、調整ボルト４上の上部螺子部４ｂを介して上下動可能に設けられ、
前記支持枠体２のジャッキ支持部２ｄとジャッキ受板６との間には、小型ジャッキ７が、配置されており、小型ジャッキ７の回転把持部７ａを回転することによって、前記支持爪３を上下動し、基礎柱ａの鉛直度調整を行うことを特徴とする鉛直度調整装置及び鉛直度調整方法。
【発明の詳細な説明】
【技術分野】
【０００１】  本発明は、基礎柱の鉛直度調整装置及び鉛直度調整方法に関する。
【背景技術】
【０００２】  本発明は、建築物の基礎柱の鉛直精度調整を行い鉄骨組立作業の作業効率の向上による時間短縮、作業の簡易化、経済効果を目的とする基礎柱の鉛直度調製装置及び鉛直度調整方法に関するものである。【０００３】  従来から、建築業の日本経済における経済的比率は、例えば２０１４年度の全産業の国内総支出４９０．６兆円に対し、建設投資額は、５１．３兆円と１０．５％の建設業での経済効果が、占められている。加えて最近は２０２０年東京オリンピックに向け更なる成長が予測されている。
その背景で建築物の重要度は高く、公共投資と、民間投資で多くの経済効果と雇用の拡大が予測されている。
建築物の柱鉛直精度調整用ジャッキ機材など、鉛直度調製冶具は日々進歩を重ね操作性の向上などがなされている。
その結果、多くの建築物の現場、特に鉄骨造（Ｓ造）、鉄骨鉄筋造（ＳＲＣ造）等の鉄骨組立工事において最も重要視される基礎柱の鉛直度調整が研究されている。
柱の鉛直度調整装置に関しては、同一出願人による特許第５２０７００５号が有るが、これは、上下の柱間の調整には、有効であるが、基礎柱の鉛直度調整に関しては有効ではなかった。
本発明は、先願の特徴を生かし、更に現実に飛躍的効果を発揮する装置及び方法を提供するものである。【０００４】
【先行技術文献】
【特許文献】
【０００５】
【特許文献１】特許第５２０７００５号
【発明の概要】
【発明が解決しようとする課題】
【０００６】  従来の基礎柱の鉛直度調製は、ワイヤーを用いた方法等が用いられてきたが、いずれも安全性が低く高所作業が必要であり、又別途の金具が必要で、その取付、取外し作業が発生していた。
そのため、鉛直度調整に手間や、時間が掛かり、効率的な鉛直度調製冶具や、方法が望まれていた。【０００７】  このため、本発明は、製造工程の簡素化、構造部品の数量の減少を図り軽量でかつ、性能、及び操作性に優れた鉛直度調整冶具、及び鉛直度調整方法を提供することを目的としている。【０００８】  また、本発明は、鉄骨設計、製造工程において溶接作業等による変更等の検討を必要としないことで、利用しやすく安価な鉛直度調整治具及び鉛直度調整方法を提供することが出来る。
【課題を解決するための手段】
【０００９】  基礎柱ａと鉛直度調整治具１の配置は、基礎柱ａの東西方向、南北方向共に、ベースプレートｂの低くなっている側の下方に、鉛直度調整治具１の支持爪３を配置し、
ベースプレートｂと基礎ピットｈとの間の隙間Ｗの空間内に、小型ジャッキ７の回転把持部７ａが配置可能であり、
該小型ジャッキ７の回転把持部７ａをスパナやラチエットレンチ等の工具Ｕにより回転することによって、前記支持爪３を上下動し、ベースプレートｂを介して基礎柱ａの鉛直度調整を行うことを特徴とする鉛直度調整装置及び鉛直度調整方法を提供する。【００１０】  請求項１記載の鉛直度調整装置の鉛直度調整治具１の構成は、支持枠体２と、前記支持枠体２の中心部には、調整ボルト４が設けられ、
前記支持爪３が調整ボルト４の下部螺子部４ａを介して上下動可能に設けられ、
調整ボルト４の上方には、ジャッキ受板６が、調整ボルト４上の上部螺子部４ｂを介して上下動可能に設けられ、
前記支持枠体２のジャッキ支持部２ｄとジャッキ受板６との間には、小型ジャッキ７が、配置されており、小型ジャッキ７の回転把持部７ａを回転することによって、前記支持爪３を上下動し、基礎柱ａの鉛直度調整を行うことを特徴とする鉛直度調整装置及び鉛直度調整方法を提供する。
【発明の効果】
【００１１】  （１）基礎ピットｈの深さＬと、ベースプレートの一端と相対する基礎ピットｈとの隙        間Ｗが、狭いという空間制限で、スパナやラチエットレンチ等の工具による作業        が困難、且つ長時間を要していた課題が、本発明の鉛直度調整治具１と小型ジャ        ッキ７の併用による構成で、安全性が向上し、高所作業が必要となくなった。
（２）又、鉛直度調整治具１と小型ジャッキ７は、軽量であるため、他の場所への転用        も簡単であり、それ以外の取付具や、その取外し作業が必要でなく、極めて効率        的、且つ短時間で、経済効果の上がる構成と方法を提供することが出来たのであ        る。
（３）鉛直度調整が完了すると、その状態で、小型ジャッキ７のロッド部７ｂを下げて        、鉛直度調整冶具１は、取外し可能となり、他の個所へ転用可能となる。
同様の手順で、南北方向も調整され同様に小型ジャッキ７は、他の個所へ転用可        能となる。
【図面の簡単な説明】
【００１２】
【図１】本発明の基礎柱の鉛直度調整治具及び鉛直度調整方法の全体斜視図である。
【図２】本発明の鉛直度調整治具１の斜視図である。
【図３】鉛直度調整前の東西方向の断面Ａ−Ａでの部分断面図である。
【図４】鉛直度調整後の東西方向の断面Ａ−Ａでの部分断面図である。
【図５】図２の断面Ｃ−Ｃの鉛直度調整前の部分断面図である。
【図６】図２の断面Ｃ−Ｃの鉛直度調整後の部分断面図である。
【図７】鉛直度調整前の東西方向の断面Ｂ−Ｂでの部分断面図である。
【図８】鉛直度調整後の東西方向の断面Ｂ−Ｂでの部分断面図である。
【発明を実施するための形態】
【００１３】  なお、本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【実施例】
【００１４】  以下、本発明の実施例について、本発明の鉛直度調整治具の構造例及び鉛直度調整方法を説明する。
なお先願例と共通な部分の説明は、重複を避けて説明を省略する。
図１は、本発明の基礎柱の鉛直度調整治具及び鉛直度調整方法の全体斜視図を示す。【００１５】  基礎柱ａは、ベースプレートｂと柱部ｃと梁部ｄとにより構成されている。
基礎柱ａは、吊りロープｅを介して、クレーンのフック部ｆにより吊上げられている。
基礎床ｇには、基礎ピットｈが、設けられており、その中央部付近には、高強度モルタルによる柱受け部ｊが、打設されており、基礎柱ａが上架され、基礎柱ａの荷重を支持している。
また基礎ピットｈ内には、基礎ボルトｋが敷設されている。【００１６】  図２は、鉛直度調整治具１の斜視図である。
図３は、鉛直度調整時の東西方向の断面Ａ−Ａでの部分断面図である。
基礎床ｇには、基礎ピットｈが、設けられているが、その寸法関係は、通常、図１、図３に示す如く、深さＬが、設けられている。
又、ベースプレートｂの一端と相対する基礎ピットｈとの隙間Ｗが形成されているが、この隙間Ｗの寸法内に鉛直度調整治具１を設置し、調整作業を行うのであるが、隙間Ｗは、埋め戻しの簡略性より、大幅な隙間Ｗが、形成されてないのが一般的である。【００１７】  本発明の鉛直度調整治具１及び鉛直度調整方法は、これらの空間的制限条件においても、極めて、効率的で、鉛直度の調整精度が高く、加えて短時間に調整でき、大きな経済効果を生み出す画期的な構成を提供するものである。【００１８】  本発明における基礎柱ａと鉛直度調整治具１の配置は、図１に示すように、東西方法において、ベースプレートの低くなっている側に鉛直度調整治具１を配置し、その反対側には、設ける必要がないので、東西方向には、１基の設置で良いのである。
同様に、南北方向も、ベースプレートの低くなっている北側に鉛直度調整治具１を配置するだけで良いため、１本の基礎柱に対し、基礎ボルトｋが何本であっても、２基の鉛直度調整治具１で可能であり、鉛直度調整が終わり、基礎ナットｎの締め上げが完了し、梁ｄを隣接する基礎柱に締結すれば、鉛直度調整治具１を外して、他の基礎柱に、転用使用が可能となる。【００１９】  図１における吊下げ状態で、最初の状態を、図３、図７に示しているが、下げ振りＸを用いて鉛直度を確認すると基礎柱ｃは東側に傾斜している。
この状態で、鉛直度調整治具１の支持爪３は、ベースプレートｂの下部の隙間に配置されており、初期のセット状態となっている。【００２０】  鉛直度調整治具１の構成を示すと、支持枠体２を主として、その中心部には、調整ボルト４が設けられ、支持枠体の底板２ａの上方に、支持爪３が、調整ボルト４上の下部螺子部４ａを介して上下度可能に設けられている。
又、調整ボルト４は、支持枠体の上板２ｂに設けられた、開口部２ｃを貫通し、滑動可能に構成されている。
又、調整ボルト４には、上板２ｂの上方に調整ナット５が配置されている。
さらにその上方には、ジャッキ受板６が、調整ボルト４上の上部螺子部４ｂを介して設けられている。
調整ボルト４の最上端には、調整ボルト４の上端把持部４ｃが、設けられ、該上端把持部４ｃを、スパナやラチエットレンチ等の工具より、回転することによっても支持爪３を上下させることもできる構成となっているが、
しかるに、該上端把持部４ｃを回転して支持爪３を上方に移動させるには、基礎柱ｃの重量が重いため、強大な力が必要となり従来の大きな障害となっていた。【００２１】  図５、図６は、図２の断面Ｃ−Ｃの部分断面図である。
図２、図５、図６に示すのは油圧等で押し上げ可能な小型ジャッキ７である。
該小型ジャッキ７は、前記枠体２のジャッキ支持部２ｄとジャッキ受板６との間に配置されている。
該小型ジャッキ７は、隙間Ｗの空間内に、小型ジャッキ７の回転把持部７ａを配置することが可能である。
従って、該小型ジャッキ７の回転把持部７ａをスパナやラチエットレンチ等の工具Ｕにより、回転することによって小型ジャッキ７のロッド部７ｂが上下動し、ジャッキ受板６、調整ボルト４を介して、支持爪３を上下させることができる構成となっている。【００２２】    図７は、鉛直度調整前の東西方向の断面Ｂ−Ｂでの部分断面図である。
図８は、鉛直度調整後の東西方向の断面Ｂ−Ｂでの部分断面図である。
本発明における基礎柱ｃの調整の手順を説明すると、図３、図５、図７の状態では、支持爪３は、ベースプレートｂの下部の隙間に配置されているが、前述の回転把持部７ａを工具Ｕにより回転することにより、小型ジャッキ７の押上げ力により、極めて小さな荷重で、ベースプレートｂを押し上げることが、可能となり、基礎柱ｃは鉛直方向に調整される。【００２３】  図４、図８に示すごとく、東西方向で説明すると、下げ振りＸと一点鎖線で示す鉛直線が一致するまで、小型ジャッキ７で押し上げ、必要に応じ、調整ナット５で、一時的に支持する。
その後西側の基礎ナットｎを締め上げ、東側の基礎ナットｎも締め上げ、梁ｄを隣接する基礎柱に締結されれば、基礎柱ｃは鉛直に固定される。【００２４】  鉛直度調整が完了すると、その状態で、小型ジャッキ７のロッド部７ｂを下げて、鉛直度調整冶具１は、取外し可能となり、他の個所へ転用可能となる。
同様の手順で、南北方向も調整され同様に小型ジャッキ７は、他の個所へ転用可能となる。そしてクレーンのフック部ｆを下げて、釣りロープｅを外す。【００２５】  従って、前述の如く、基礎ピットｈの深さＬと、ベースプレートの一端と相対する基礎ピットｈとの隙間Ｗが、狭いという空間制限で、スパナやラチエットレンチ等の工具による作業が困難、且つ長時間を要していた課題が、
図１〜図８に示す如く、本発明の鉛直度調整治具１と小型ジャッキ７の併用による構成で、安全性が向上し、高所作業が不必要となり、
又、鉛直度調整治具１と小型ジャッキ７は、軽量であるため、他の場所への転用も簡単であり、それ以外の取付具や、その取外し作業が必要でなく、極めて安全性が高く、効率的、且つ短時間で、経済効果の上がる構成と方法を提供することが出来たのである。
又、例えば、鉛直度調整治具１と小型ジャッキ７をレンタルする場合も、軽量で、運搬しやすく、数量も少なくて、借受け費用を最小に留めることが出来るのである。
【産業上の利用可能性】
【００２６】  本発明の活用例としては、以上説明したように、極めて実用的な機能を有する構成を提供することにより利便性を大幅に高め、新商品による産業の発展に貢献できる新規かつ実用的な発明である。
【符号の説明】
【００２７】ａ  基礎柱
ｂ  ベースプレート
ｃ  柱部
ｄ  梁部
ｅ  吊りロープ
ｆ  フック部
ｇ  基礎床
ｈ  基礎ピット
ｊ  柱受け部
ｋ  基礎ボルト
Ｌ  深さ
ｕ  工具
Ｗ  隙間
１  鉛直度調整治具
２  支持枠体
２ａ  支持枠体の底板
２ｂ  支持枠体の上板
２ｃ  開口部
２ｄ  ジャッキ支持部
３  支持爪
４  調整ボルト
４ａ  下部螺子部
４ｂ  上部螺子部
４ｃ  上端把持部
５  調整ナット
６  ジャッキ受板
７  小型ジャッキ
７ａ  小型ジャッキの回転把持部
７ｂ  ロッド部
【図１】
2018162650.tif 000003
【図２】
2018162650.tif 000004
【図３】
2018162650.tif 000005
【図４】
2018162650.tif 000006
【図５】
2018162650.tif 000007
【図６】
2018162650.tif 000008
【図７】
2018162650.tif 000009
【図８】
2018162650.tif 000010